(57)【要約】【課題】遮蔽体の質量が大きくなっても身体から脱落し難い放射線防護具を提供する。【解決手段】放射線防護具１は、放射線を遮蔽する透明な遮蔽体３と、身体８に装着される装着部１０と、装着部１０に固定され、遮蔽体３を支持する支持部２０とを有する。装着部１０は、身体８に装着された装着状態において首８２の背面側に当接する背面部１５０と、装着状態において右肩若しくは右胸に当接する右側部１１０と、装着状態において左肩若しくは左胸に当接する左側部１３０とを含む。支持部２０は、装着状態において、遮蔽体３を顔８５の正面側に位置するように支持する。【選択図】図４
2020079741.tif 000002
【特許請求の範囲】
【請求項１】
放射線を遮蔽する透明な遮蔽体と、
身体に装着される装着部と、
前記装着部に固定され、前記遮蔽体を支持する支持部とを有し、
前記装着部は、
身体に装着された装着状態において首の背面側に当接する背面部と、
前記装着状態において右肩若しくは右胸に当接する右側部と、
前記装着状態において左肩若しくは左胸に当接する左側部と
を含み、
前記支持部は、前記装着状態において、前記遮蔽体を顔の正面側に位置するように支持する、
放射線防護具。
【請求項２】
前記支持部は、
前記装着状態において身体の右側に位置する右側支持部材と、
前記装着状態において身体の左側に位置する左側支持部材と、
前記右側支持部材を前記右側部に固定する右側固定部と、
前記左側支持部材を前記左側部に固定する左側固定部と
を含み、
前記右側固定部は、前記右側部に対する前記右側支持部材の固定を解除した場合、前記装着状態において左右方向に伸びる仮想軸の周りで回動可能に前記右側支持部材を支持し、
前記左側固定部は、前記左側部に対する前記左側支持部材の固定を解除した場合、前記仮想軸の周りで回動可能に前記左側支持部材を支持する、
請求項１に記載の放射線防護具。
【請求項３】
前記仮想軸は、前記装着状態において、前記右側部と身体との当接箇所及び前記左側部と身体との当接箇所に対して下方に位置する、
請求項２に記載の放射線防護具。
【請求項４】
前記右側固定部は、前記仮想軸から離れた位置で前記右側部と前記右側支持部材とをそれぞれ貫通し、前記右側支持部材と前記右側部とを締め付け固定する右側締結具を含み、
前記左側固定部は、前記仮想軸から離れた位置で前記左側部と前記左側支持部材とをそれぞれ貫通し、前記左側支持部材と前記左側部とを締め付け固定する左側締結具を含み、
前記右側部及び前記右側支持部材のいずれか一方は、前記仮想軸と平行な方向から見て、前記右側締結具の貫通孔が前記仮想軸を中心とする円弧状に形成されており、
前記左側部及び前記左側支持部材のいずれか一方は、前記仮想軸と平行な方向から見て、前記左側締結具の貫通孔が前記仮想軸を中心とする円弧状に形成されている、
請求項２又は３に記載の放射線防護具。
【請求項５】
請求項１〜４のいずれか一項に記載される前記装着部及び前記支持部を有した遮蔽体取り付け器具。
【発明の詳細な説明】
【技術分野】
【０００１】
本発明は、放射線を遮蔽する遮蔽体を用いて放射線から身体を防護する放射線防護具とその遮蔽体取り付け器具に関するものである。
【背景技術】
【０００２】
レーザー光線やＸ線などから眼を保護する従来の防護具として、例えば下記の特許文献１や特許文献２に記載されているようなゴーグル型のものが知られている。また、ヘルメット等に取り付けて顔の全体を覆うようにしたフェースガード型（マスク型）のものも知られており、溶接時のアーク光から眼を保護するための防護具として一般的に用いられている。
【先行技術文献】
【特許文献】
【０００３】
【特許文献１】特開２０１４−５７７９７号公報
【特許文献２】実開平０３−４１４２４号公報
【発明の概要】
【発明が解決しようとする課題】
【０００４】
眼（特に水晶体）を放射線から保護する防護具の場合、ゴーグル型やフェースガード型のものは、一般に低エネルギーの放射線（ガンマ線、ベータ線、エックス線など）を扱う研究分野や医療分野において用いられている。しかしながら、原発事故などによって高い線量の放射線が発生している現場で使用する場合、従来のゴーグル型やフェースガード型の防護具では放射線を十分に遮蔽することができないという問題がある。
【０００５】
物体を通過する放射線の透過率は放射線のエネルギーに比例して高くなり、１から透過率を引いた値である遮蔽率は遮蔽体の質量に比例して高くなる。そのため、高エネルギーのベータ線やガンマ線に対して遮蔽率を高めるためには、遮蔽体の質量を大きくする必要がある。しかしながら、従来のゴーグル型やフェースガード型の防護具において遮蔽体の質量をあまり大きくすると、防護具が頭部からずれて脱落し易くなるという問題がある。また、頭部に装着するタイプの防護具の場合、防護具の重量が大きくなると身体の姿勢を安定に保ち難くなるという問題や、首への負担が大きくなるという問題がある。
【０００６】
本発明はかかる事情に鑑みてなされたものであり、その目的は、遮蔽体の質量が大きくなっても身体から脱落し難く、身体の姿勢を安定に保ち易い放射線防護具及び遮蔽体取り付け器具を提供することにある。
【課題を解決するための手段】
【０００７】
本発明の第１の態様に係る放射線防護具は、放射線を遮蔽する透明な遮蔽体と、身体に装着される装着部と、装着部に固定され、遮蔽体を支持する支持部とを有する。装着部は、身体に装着された装着状態において首の背面側に当接する背面部と、装着状態において右肩若しくは右胸に当接する右側部と、装着状態において左肩若しくは左胸に当接する左側部とを含む。支持部は、装着状態において、遮蔽体を顔の正面側に位置するように支持する。
【０００８】
第１の態様に係る放射線防護具によれば、装着部が身体に装着された装着状態において、装着部に固定された支持部により、透明な遮蔽体が顔の正面側に位置するように支持される。そのため、顔へ照射される放射線を遮蔽体により遮蔽しつつ、遮蔽体を介して前方の視界を確保することが可能となる。また、装着状態において背面部が首の背面側に当接し、右側部が右肩若しくは右胸に当接し、左側部が左肩若しくは左胸に当接するため、遮蔽体の質量が大きくなっても、装着部が身体から脱落し難くなる。
【０００９】
好適に、支持部は、装着状態において身体の右側に位置する右側支持部材と、装着状態において身体の左側に位置する左側支持部材と、右側支持部材を右側部に固定する右側固定部と、左側支持部材を左側部に固定する左側固定部とを含み、右側固定部は、右側部に対する右側支持部材の固定を解除した場合、装着状態において左右方向に伸びる仮想軸の周りで回動可能に右側支持部材を支持し、左側固定部は、左側部に対する左側支持部材の固定を解除した場合、仮想軸の周りで回動可能に左側支持部材を支持する。
【００１０】
この構成によれば、右側固定部において右側部に対する右側支持部材の固定を解除するとともに、左側固定部において左側部に対する左側支持部材の固定を解除すると、右側支持部材及び左側支持部がそれぞれ仮想軸の周りで回動可能となる。これにより、支持部に支持された遮蔽体が仮想軸の周りで回動可能となるため、顔と遮蔽体との間隔を調節することが可能となる。
【００１１】
好適に、仮想軸は、装着状態において、右側部と身体との当接箇所及び左側部と身体との当接箇所に対して下方に位置する。
【００１２】
この構成によれば、右側部と身体との当接箇所及び左側部と身体との当接箇所に対して仮想軸が上方に位置する場合と比べて、顔と仮想軸との距離が大きくなり、顔の正面側に位置する遮蔽体と仮想軸との距離も大きくなる。これにより、右側固定部及び左側固定部における固定を解除した場合の遮蔽体の回動半径が大きくなるため、顔と遮蔽体との間隔を変化させることによる遮蔽体の姿勢の変化が小さくなる。また、右側部と身体との当接箇所及び左側部と身体との当接箇所に対して仮想軸が上方に位置する場合と比べて、身体との距離が近い位置に仮想軸を設け易くなるため、装着部を身体の近くに配置し易くなる。
【００１３】
好適に、右側固定部は、仮想軸から離れた位置で右側部と右側支持部材とをそれぞれ貫通し、右側支持部材と右側部とを締め付け固定する右側締結具を含み、左側固定部は、仮想軸から離れた位置で左側部と左側支持部材とをそれぞれ貫通し、左側支持部材と左側部とを締め付け固定する左側締結具を含み、右側部及び右側支持部材のいずれか一方は、仮想軸と平行な方向から見て、右側締結具の貫通孔が仮想軸を中心とする円弧状に形成されており、左側部及び左側支持部材のいずれか一方は、仮想軸と平行な方向から見て、左側締結具の貫通孔が仮想軸を中心とする円弧状に形成されている。
【００１４】
この構成によれば、仮想軸から離れた位置を貫通する右側締結具によって右側部と右側支持部材とが締め付け固定されるため、比較的小さい締め付け力によって右側部と右側支持部材とが強固に固定される。また、仮想軸から離れた位置を貫通する左側締結具によって左側部と左側支持部材とが締め付け固定されるため、比較的小さい締め付け力によって左側部と左側支持部材とが強固に固定される
【００１５】
本発明の第２の態様は、上記装着部及び上記支持部を有した遮蔽体取り付け器具に関する。
【発明の効果】
【００１６】
本発明によれば、遮蔽体の質量が大きくなっても身体から脱落し難く、身体の姿勢を安定に保ち易い放射線防護具及び遮蔽体取り付け器具を提供できる。
【図面の簡単な説明】
【００１７】
【図１】図１は、本実施形態に係る放射線防護具の一例を示す斜視図である。
【図２】図２は、本実施形態に係る放射線防護具の一例を示す平面図である。
【図３】図３は、本実施形態に係る放射線防護具の一例を示す側面図である。
【図４】図４は、図１に示す放射線防護具を身体に装着した状態を示す図である。
【発明を実施するための形態】
【００１８】
以下、本発明の実施形態に係る放射線防護具１及び遮蔽体取り付け器具２について、図１〜図４を参照しながら説明する。図１は、放射線防護具１の一例を示す斜視図であり、放射線防護具１を装着する使用者の身体８に対して右斜め後方から見た図である。図２は、放射線防護具１の一例を示す平面図であり、身体８に対して上方から見た図である。図３は、放射線防護具１の一例を示す側面図であり、身体８に対して右側から見た図である。図４は、放射線防護具１を身体８に装着した状態を示す図である。
【００１９】
本実施形態に係る放射線防護具１は、図１に示すように、放射線を遮蔽する透明な遮蔽体３と、遮蔽体３を取り付けた状態で身体８に装着可能な遮蔽体取り付け器具２とを有する。
【００２０】
本実施形態では、比較的高エネルギーの放射線から使用者の眼（特に水晶体）を保護できるようにするため、遮蔽体３は比較的大きな質量を持つ。遮蔽体３は、例えば鉛を含有したガラスであり、その質量は例えば数百グラムから１キログラム程度である。図１の例において、遮蔽体３は平らな板または湾曲させたような形状を持つ。図４に示すように、正面方向へ凹んだ遮蔽体３の湾曲面、平らな板の場合はその板の平らな部分が顔８５と対向している。
【００２１】
遮蔽体取り付け器具２は、図１及び図２に示すように、使用者の身体８に装着される装着部１０と、装着部１０に固定され、遮蔽体３を支持する支持部２０とを有する。支持部２０は、図４に示すように、装着部１０が身体８に装着された装着状態（以下、単に「装着状態」と記す場合がある。）において、遮蔽体３を顔８５（特に眼）の正面側に位置するように支持する。
【００２２】
装着部１０は、図１及び図２に示すように、右側部１１０と、左側部１３０と、背面部１５０を有する。図３や図４に示す装着状態において、右側部１１０は身体８の右肩若しくは右胸に当接し、左側部１３０は身体８の左肩若しくは左胸に当接し、背面部１５０は首８２の背面側に当接する。装着部１０は、図１及び図２の例において全体的にＵ字の形状を持つ。背面部１５０はＵ字形状の中央の湾曲部分に対応し、首８２の背面側を囲むように湾曲している。右側部１１０は、右肩に近い背面部１５０の端部から正面方向へ直線状に伸びている。左側部１３０は、左肩に近い背面部１５０の端部から正面方向へ直線状に伸びている。図１の例において、右側部１１０の正面側の末端に位置する端部１１１と、左側部１３０の正面側の末端に位置する端部１３１は、それぞれ扇状に膨らんでいる。右側部１１０の端部１１１には、後述の右側締結具２２２を貫通させる円弧状の貫通孔１１２が形成される。左側部１３０の端部１３１には、後述の左側締結具２４２を貫通させる円弧状の貫通孔１３２が形成される。
【００２３】
支持部２０は、図１及び図２に示すように、装着状態において身体８の右側に位置する右側支持部材２１０と、装着状態において身体８の左側に位置する左側支持部材２３０とを有する。右側支持部材２１０は、遮蔽体３に取り付けられる取り付け部２１１と、後述の右側固定部２２０によって右側部１１０に固定される端部２１４と、取り付け部２１１と端部２１４とを接続する接続部２１２とを含む。同様に、左側支持部材２３０は、遮蔽体３に取り付けられる取り付け部２３１と、後述の左側固定部２４０によって左側部１３０に固定される端部２３４と、取り付け部２３１と端部２３４とを接続する接続部２３２とを含む。
【００２４】
装着状態では、図１及び図２に示すように、端部２１４及び２３４が概ね前後方向へ直線状に伸びており、接続部２１２及び２３２が概ね上下方向へ直線状に伸びている。端部２１４と接続部２１２とは屈曲部２１３を介してヘ字状につながっており、端部２３４と接続部２３２とは屈曲部２３３を介してヘ字状につながっている。
【００２５】
右側支持部材２１０の取り付け部２１１及び左側支持部材２３０の取り付け部２３１は、図１の例において、顔８５に対向した遮蔽体３の内側の湾曲面、遮蔽体３が平板の場合はその平板に取り付けられている。取り付け部２１１は、遮蔽体３の下側の縁に沿って帯状に伸びており、右側の端部が接続部２１２の上側の端部とつながっている。取り付け部２３１も、遮蔽体３の下側の縁に沿って帯状に伸びており、左側の端部が接続部２３２の上側の端部とつながっている。図２の例において、取り付け部２１１は取り付けネジ２１５により遮蔽体３の下端に固定され、取り付け部２３１は取り付けネジ２３５により遮蔽体３の下端に固定される。
【００２６】
また支持部２０は、図１及び図２に示すように、右側支持部材２１０を右側部１１０に固定する右側固定部２２０と、左側支持部材２３０を左側部１３０に固定する左側支持部材２３０とを有する。右側固定部２２０及び左側固定部２４０は、それぞれ使用者の操作によって固定状態を解除したり復帰させたりすることが可能である。右側固定部２２０は、右側部１１０に対する右側支持部材２１０の固定を解除した場合、装着状態において身体８の左右方向に伸びる仮想軸ＡＸ（図１）の周りで右側支持部材２１０を回動可能に支持する。左側固定部２４０は、左側部１３０に対する左側支持部材２３０の固定を解除した場合、右側固定部２２０と同じ仮想軸ＡＸの周りで左側支持部材２３０を回動可能に支持する。
【００２７】
図１及び図２の例において、右側固定部２２０は右側軸部２２１と右側締結具２２２を含み、左側固定部２４０は左側軸部２４１と左側締結具２４２を含む。
【００２８】
右側軸部２２１及び左側軸部２４１は、支持部２０（右側支持部材２１０、左側支持部材２３０）を装着部１０に対して回動自在に支持するための軸を構成する。図１及び図２の例において、右側軸部２２１及び左側軸部２４１はそれぞれ蝶ナットとボルトからなる。右側軸部２２１（ボルト）が右側部１１０（端部１１１）と右側支持部材２１０（端部２１４）とを仮想軸ＡＸに沿って貫通し、左側軸部２４１（ボルト）が左側部１３０（端部１３１）と左側支持部材２３０（端部２３４）とを仮想軸ＡＸに沿って貫通する。
【００２９】
右側締結具２２２は、仮想軸ＡＸから離れた位置で右側部１１０と右側支持部材２１０とをそれぞれ貫通し、右側部１１０と右側支持部材２１０とを締め付け固定する。左側締結具２４２は、仮想軸ＡＸから離れた位置で、左側部１３０と左側支持部材２３０とをそれぞれ貫通し、左側部１３０と左側支持部材２３０とを締め付け固定する。図１及び図２の例において、右側締結具２２２及び左側締結具２４２はそれぞれ蝶ナットとボルトからなる。右側締結具２２２（ボルト）が右側部１１０（端部１１１）と右側支持部材２１０（端部２１４）とを仮想軸ＡＸに平行な方向へ貫通し、左側締結具２４２（ボルト）が左側部１３０（端部１３１）と左側支持部材２３０（端部２３４）とを仮想軸ＡＸに平行な方向へ貫通する。
【００３０】
図１及び図３に示すように、右側締結具２２２（ボルト）が貫通する右側部１１０の貫通孔１１２、及び、左側締結具２４２（ボルト）が貫通する左側部１３０の貫通孔１３２は、仮想軸ＡＸと平行な方向から見て、仮想軸ＡＸを中心とする円弧状に形成されている。そのため、右側締結具２２２及び左側締結具２４２の蝶ナットをそれぞれ緩めると、右側締結具２２２（ボルト）が円弧状の貫通孔１１２に沿って移動可能になるとともに、左側締結具２４２（ボルト）が円弧状の貫通孔１３２に沿って移動可能になる。これにより、装着部１０に対する支持部２０（右側支持部材２１０、左側支持部材２３０）の固定が解除され、支持部２０が仮想軸ＡＸの周りで回動可能となる。
【００３１】
顔８５に対する遮蔽体３の位置を調節する場合には、まず、右側締結具２２２及び左側締結具２４２の蝶ナットをそれぞれ緩めて、締め付け固定を解除する。そして、支持部２０（右側支持部材２１０、左側支持部材２３０）を装着部１０に対して回動させ、顔８５に対する遮蔽体３の位置を変更する。その後、右側締結具２２２及び左側締結具２４２の蝶ナットを再び締めて、右側締結具２２２及び左側締結具２４２による締め付け固定を行い、支持部２０（右側支持部材２１０、左側支持部材２３０）を装着部１０に対して固定する。
【００３２】
以上説明したように、本実施形態に係る放射線防護具１によれば、装着部１０が身体８に装着された装着状態において、装着部１０に固定された支持部２０により、透明な遮蔽体３が顔８５の正面側に位置するように支持される。そのため、顔８５へ照射される放射線を遮蔽体３により遮蔽しつつ、遮蔽体３を介して前方の視界を確保することができる。
【００３３】
また、本実施形態に係る放射線防護具１によれば、装着状態において背面部１５０が首８２の背面側に当接し、右側部１１０が右肩若しくは右胸に当接し、左側部１３０が左肩若しくは左胸に当接するため、遮蔽体３の質量が大きくなっても、装着部１０が身体８から脱落し難くなる。しかも、放射線防護具１の重量が頭部８１に加わらないため、身体８の姿勢を安定に保ち易くなるとともに、首８２への負担を軽減できる。従って、高線量の放射線が発生する現場でも、質量の大きい遮蔽体３を用いて容易に作業を行うことが可能となり、顔８５に照射される放射線の線量を効果的に低減できる。
【００３４】
更に、本実施形態に係る放射線防護具１によれば、右側固定部２２０において右側部１１０に対する右側支持部材２１０の固定を解除するとともに、左側固定部２４０において左側部１３０に対する左側支持部材２３０の固定を解除すると、右側支持部材２１０及び左側支持部材２３０がそれぞれ仮想軸ＡＸの周りで回動可能となる。これにより、支持部２０（右側支持部材２１０、左側支持部材２３０）に支持された遮蔽体３が仮想軸ＡＸの周りで回動可能となるため、顔８５と遮蔽体３との間隔を調節することが可能となる。
【００３５】
また、本実施形態に係る放射線防護具１によれば、図３、図４に示すような装着状態において、右側部１１０と身体８との当接箇所及び左側部１３０と身体８との当接箇所に対して仮想軸ＡＸが下方に位置している。この構成によれば、右側部１１０と身体８との当接箇所及び左側部１３０と身体８との当接箇所に対して仮想軸ＡＸが上方に位置する場合と比べて、顔８５と仮想軸ＡＸとの距離が大きくなり、顔８５の正面側に位置する遮蔽体３と仮想軸ＡＸとの距離も大きくなる。これにより、右側固定部２２０及び左側固定部２４０における固定を解除した場合の遮蔽体３の回動半径が大きくなるため、顔８５と遮蔽体３との間隔を変化させることによる遮蔽体３の姿勢の変化（傾きの変化）を小さくすることができる。また、右側部１１０と身体８との当接箇所及び左側部１３０と身体８との当接箇所に対して仮想軸ＡＸが上方に位置する場合と比べて、身体８との距離が近い位置に仮想軸ＡＸを設け易くなるため、装着部１０を身体８の近くに配置し易くなる。これにより、身体８の周囲の物に対して装着部１０が邪魔になり難くなる。
【００３６】
加えて、本実施形態に係る放射線防護具１によれば、仮想軸ＡＸから離れた位置を貫通する右側支持部材２１０によって右側部１１０と右側支持部材２１０とが締め付け固定されるため、比較的小さい締め付け力によって右側部１１０と右側支持部材２１０とを強固に固定できる。また、仮想軸ＡＸから離れた位置を貫通する左側固定部２４０によって左側部１３０と左側支持部材２３０とが締め付け固定されるため、比較的小さい締め付け力によって左側部１３０と左側支持部材２３０とを強固に固定できる。
【００３７】
以上、本発明の幾つかの実施形態について説明したが、本発明は上述した実施形態に限定されるものではなく、種々のバリエーションを含んでいる。
【００３８】
図１、図４の例では、右側締結具２２２を貫通させる右側部１１０の貫通孔１１２が仮想軸ＡＸを中心とした円弧状に形成されているが、本発明の他の実施形態では、右側締結具を貫通させる右側支持部材の貫通孔が仮想軸を中心とした円弧状に形成されてもよい。また、図１、図４の例では、左側締結具２４２を貫通させる左側部１３０の貫通孔１３２が仮想軸ＡＸを中心とした円弧状に形成されているが、本発明の他の実施形態では、左側締結具を貫通させる左側支持部材の貫通孔が仮想軸を中心とした円弧状に形成されてもよい。
【符号の説明】
【００３９】
１…放射線防護具、２…遮蔽体取り付け器具、３…遮蔽体、１０…装着部、１１０…右側部、１１１…端部、１１２…貫通孔、１３０…左側部、１３１…端部、１３２…貫通孔、１５０…背面部、２０…支持部、２１０…右側支持部材、２１１…取り付け部、２１２…接続部、２１３…屈曲部、２１４…端部、２１５…取り付けネジ、２２０…右側固定部、２２１…右側軸部、２２２…右側締結具、２３０…左側支持部材、２３１…取り付け部、２３２…接続部、２３３…屈曲部、２３４…端部、２３５…取り付けネジ、２４０…左側固定部、２４１…左側軸部、２４２…左側締結具、８…身体、８１…頭部、８２…首、８３…右肩、８４…右胸、８５…顔、ＡＸ…仮想軸
【図１】
2020079741.tif 000003
【図２】
2020079741.tif 000004
【図３】
2020079741.tif 000005
【図４】
2020079741.tif 000006